(57)【特許請求の範囲】
【請求項１】
少なくともコネクタを搭載した基板と、前記基板を収納する基板ケースと、前記基板のコネクタと嵌合するコネクタを含むワイヤハーネスとを備える遊技機において、
前記基板には、この基板の一方の面から他方の面に向かうように前記ワイヤーハーネスが挿通された第１の穴と、この第１の穴を挿通された前記ワイヤーハーネスが前記基板の前記他方の面から前記一方の面に向かうように挿通された第２の穴と、この第２の穴を挿通された前記ワイヤーハーネスが前記基板の前記一方の面から前記他方の面に向かうように挿通された第３の穴とが設けられていることを特徴とする遊技機。
【請求項２】
前記基板ケースには、前記ワイヤハーネスの通る穴が設けられていることを特徴とする請求項１記載の遊技機。
【請求項３】
少なくともコネクタを搭載した基板と、前記基板を収納する基板ケースと、前記基板のコネクタと嵌合するコネクタを含むワイヤハーネスとを備える遊技機において、
前記ケースには、このケースの一方の面から他方の面に向かうように前記ワイヤーハーネスが挿通された第１の穴と、この第１の穴を挿通された前記ワイヤーハーネスが前記ケースの前記他方の面から前記一方の面に向かうように挿通された第２の穴と、この第２の穴を挿通された前記ワイヤーハーネスが前記ケースの前記一方の面から前記他方の面に向かうように挿通された第３の穴とが設けられていることを特徴とする遊技機。
【発明の詳細な説明】
【技術分野】
【０００１】
この発明は、スロットマシン等の遊技機に関し、特にそれに対する不正行為の防止手段に関する。
【背景技術】
【０００２】
スロットマシンやパチンコ機などの遊技機はマイコンを内蔵していて、抽選・入賞・払い出し・演出の制御をプログラムで実現している。この種の遊技機は、遊技者の操作を受けて内部抽選及び該抽選結果に応じた入賞判定を行うとともに、入賞に応じて遊技媒体の払い出し制御を行う第１処理部（いわゆるメイン基板）と、第１処理部から遊技者の操作を受けて処理を行い生成したコマンドを受けて内部抽選の結果を報知したり各種演出を行う第２処理部（いわゆるサブ基板）とを備えている。この種のスロットマシンのブロック図を図２に示す。
【０００３】
サブ基板２はメイン基板１からコマンドをうけ、これに従って演出等の遊技制御の処理を行う。コマンドの流れはメイン基板１からサブ基板２への一方のみであり、逆にサブ基板２からメイン基板１へコマンド等が出されることはない。
【０００４】
メイン基板１には、スタートスイッチ３０，ストップスイッチ５０，リール駆動部７０，リール位置検出回路７１、ホッパ駆動部８０及びホッパ８１から払い出されたメダルの枚数を数えるためのメダル検出部８２が接続されている。サブ基板２には液晶表示装置６２の制御基板２００、スピーカ基板２０１、ＬＥＤ基板２０２などの周辺基板（ローカル基板）が接続されている。これらの詳細は後述する。
【０００５】
液晶表示装置６２、スピーカや表示ランプ等は演出表示装置を構成する。この演出表示装置は、遊技者に入賞等を報知したり、いわゆるアシストタイム（ＡＴ）において、一定ゲーム間に特定の小役を台自体が何らかのアクションを伴ってユーザに教えたりするためのものである。（アシストタイム（ＡＴ）：特定の小役が成立しても遊技者がリールの図柄を揃えないと払い戻しがない。小役による払い出しを確実にするために、ビッグボーナス終了後（もしくは成立時）あるいはその他の任意の契機にアシストタイム移行のための抽選をし、これに当選すると一定ゲーム間は特定の小役を成立させるための操作を何らかのアクションを伴って遊技者に教えるという操作補助機能）
【０００６】
ところで、図１６に示すように、メイン基板１はケース１−１に収納されていて、外部からメイン基板１に直接触れることができないようになっている。また、ケース１−１はスロットマシン本体１２０の背面内側に固定され、メイン基板１がケース１−１に収納されている限り、メイン基板１を取り外すことができないようになっている。ケース１−１の一部に複数の開口Ａが設けられ、ここに複数のワイヤハーネスＷＨ（複数の基板間を電気的に接続するための配線のこと、当該配線の両端又は一端に基板のコネクタと嵌合するコネクタを備える。以下、これを単に「ハーネス」と記すことがある）を差し込むことで、ワイヤハーネスＷＨのコネクタ（プラグ）Ｐがメイン基板１上に設けられたコネクタ（ソケット）Ｓに嵌合し、電気的に接続されるようになっている。ワイヤハーネスＷＨの端にはコネクタ（プラグ）Ｐが取り付けられている（ワイヤハーネスＷＨ側のコネクタは差し込まれることからこれをプラグと呼び、基板側のコネクタは差し込まれる側なのでこれをソケットと呼ぶことにする）。
【０００７】
メイン基板１とこれを収納するケース１−１の分解斜視図を図１７に示す。メイン基板を収納するケース１−１は、前カバー１−１ｂと後カバー１−１ａとから構成される。後カバー１−１ａは、スロットマシン本体１２０内部の背面側に取り付けられている。前カバー１−１ｂは、後カバー１−１ａに公知の特殊なネジ（一度締め付けると緩めることができないネジ）１−１ｃで取り付けられ、カバー１−１を破壊しない限り、前カバー１−１ｂと後カバー１−１ａを分離させることはできず、したがってメイン基板１は封印され、これを容易に取り外せないようになっている。メイン基板１上には、ワイヤハーネスＷＨのコネクタ（プラグ）Ｐと嵌合するコネクタ（ソケット）Ｓが設けられている。
【０００８】
図１７の符号Ｘ〜Ｚ、ＳＷは、ケース１−１の取り外しを検出するためのスイッチＳＷ及びこれを動作させるための機構要素である。
【０００９】
【特許文献１】特開２００３−２６５８１４号公報「遊技機の基板収納ボックス」  配線パターンの一部を変更したり、一部の部品を交換あるいは追加するような、不正な改変を防止する。コネクタをケースの外部に露出して設けた基板収納ボックスではコネクタの結線パターンも外部に露出されていた。コネクタの結線パターンを被覆することで、当該露出した結線パターンに対して不正行為が行われることを防止する。
【特許文献２】特開２００５−１６８７４７号公報「遊技機」  遊技機において、ハーネスに対する不正行為を容易に発見できるようにする。メイン基板１とサブ基板２を電気的に接続する配線を、信号用配線Ｈ２と電源用配線Ｈ１に分ける。信号用配線Ｈ２の経路と電源用配線Ｈ１の経路を異ならせ、かつ、信号用配線Ｈ２と電源用配線Ｈ１の間隔を広く維持する。不正行為の際に２本の配線の交換を行わなければならず、従来の２倍の手間がかかる。
【特許文献３】特開２００５−２８１５８号公報「弾球遊技機」  配線パターンの一部を変更したり、一部の部品を交換あるいは追加するような、不正な改変を防止する。制御基板ボックス１４では、コネクタガイド２０を用い、上箱部１６にハーネス孔２２を設ける。コネクタ１２だけを外部に露出し、配線パターンは全く露出されない。
【発明の開示】
【発明が解決しようとする課題】
【００１０】
上記ＡＴのように、サブ基板２側のソフトウエアで出玉の獲得割合の重みを制御するようにしている遊技機がある。サブ基板２側に出玉の調整機能を持たせたのである。具体的には、上述のように出玉を得るための指示を液晶表示装置に表示して遊技者がその指示に従って操作すれば容易に出玉を得られるようにしている。当該指示は常時出されるわけではなく、特定の場合に出される。
【００１１】
ところで、この機能を悪用して不正に出玉を得ようとするものがいる。図２に示すようにメイン基板１とサブ基板２の間のケーブルやコネクタに不正な装置Ｘを取り付け、この装置Ｘから本来特定の場合に出されるＡＴコマンドを常時出させることにより操作補助機能を作動させ、常に容易に出玉を得るのである。ＡＴは、内部抽選で当たっていても押し順どおりに押せないと入賞できないようになっており、この押し順が不規則に変化するから、それほど入賞しない、という前提で設計されている。しかし、不正な装置Ｘが取り付けられると毎回押し順が報知され取りこぼしがなくなる。実際には、予め不正な装置Ｘを取り付けたワイヤハーネスを用意しておき、それを正規のワイヤハーネスと交換することが行われているようである。
【００１２】
特許文献１及び３の発明によれば、配線パターンの一部を変更したり、基板に搭載された一部の部品（ＲＯＭなど）を交換あるいは追加するような、不正な改変を防止することができるが、上述のようなハーネス全体を交換して不正な基板を取り付ける不正行為を防止できない。特許文献２の発明によれば、ハーネスに対する不正行為を容易に発見できるようになるものの、当該不正行為自体は不可能ではない。
【００１３】
図１６に示すように、従来の技術によれば、コネクタを外すことは容易であり、ハーネスの不正な交換を防げなかった。
【００１４】
この発明は、上記課題を解決するためになされたもので、ハーネスの不正な交換をほとんど不可能にできる遊技機を提供することを目的とする。
【課題を解決するための手段】
【００１５】
この発明に係る遊技機は、少なくともコネクタを搭載した基板と、前記基板を収納する基板ケースと、前記基板のコネクタと嵌合するコネクタを含むワイヤハーネスとを備える遊技機において、
前記基板には、この基板の一方の面から他方の面に向かうように前記ワイヤーハーネスが挿通された第１の穴と、この第１の穴を挿通された前記ワイヤーハーネスが前記基板の前記他方の面から前記一方の面に向かうように挿通された第２の穴と、この第２の穴を挿通された前記ワイヤーハーネスが前記基板の前記一方の面から前記他方の面に向かうように挿通された第３の穴とが設けられていることを特徴とするものである。
【００１６】
この発明に係る遊技機は、少なくともコネクタを搭載した基板と、前記基板を収納する基板ケースと、前記基板のコネクタと嵌合するコネクタを含むワイヤハーネスとを備える遊技機において、前記基板には、前記ワイヤハーネスの通る穴が少なくとも一つ設けられ、前記基板のコネクタは前記基板の裏面に設けられ、前記ワイヤハーネスは、前記基板の穴を通って表面に現れることを特徴とするものである。
【００１７】
この発明に係る遊技機は、少なくともコネクタを搭載した基板と、前記基板を収納する基板ケースと、前記基板のコネクタと嵌合するコネクタを含むワイヤハーネスとを備える遊技機において、前記基板には、前記ワイヤハーネスを保持するためのコの字状、Ｌ字状又はＴ字状いずれかの部材が複数設けられ、前記ワイヤハーネスは、前記基板と前記複数の部材の全部又は一部との間を通って保持されることを特徴とするものである。
【００１８】
前記基板ケースには、前記ワイヤハーネスの通る穴が設けられていてもよい。
前記基板の穴の周囲又は前記部材が、識別のために着色されていることが好ましい。
【００１９】
この発明に係る遊技機は、少なくともコネクタを搭載した基板と、前記基板を収納する基板ケースと、前記基板のコネクタと嵌合するコネクタを含むワイヤハーネスとを備える遊技機において、
前記ケースには、このケースの一方の面から他方の面に向かうように前記ワイヤーハーネスが挿通された第１の穴と、この第１の穴を挿通された前記ワイヤーハーネスが前記ケースの前記他方の面から前記一方の面に向かうように挿通された第２の穴と、この第２の穴を挿通された前記ワイヤーハーネスが前記ケースの前記一方の面から前記他方の面に向かうように挿通された第３の穴とが設けられていることを特徴とするものである。
【００２０】
この発明に係る遊技機は、少なくともコネクタを搭載した基板と、前記基板を収納する基板ケースと、前記基板のコネクタと嵌合するコネクタを含むワイヤハーネスとを備える遊技機において、前記基板ケースの内側には、前記ワイヤハーネスを保持するためのコの字状、Ｌ字状又はＴ字状いずれかの部材が複数設けられるとともに、前記ワイヤハーネスの通る穴が設けられ、前記ワイヤハーネスは、前記基板ケースと前記複数の部材の全部又は一部との間を通って保持されるとともに、前記基板ケースの穴を通って外側に現れることを特徴とするものである。
【００２１】
前記基板ケースの穴の周囲又は前記部材が、識別のために着色されていることが好ましい。
【発明の効果】
【００２２】
この発明によれば、基板又は基板ケースに穴又は部材を設け、当該穴又は部材を縫うようにワイヤハーネスを通すことにより、ワイヤハーネスの交換に時間がかかるようになり、当該交換を伴う不正行為を非常に困難にできる。不正行為の防止策として有効である。
【発明を実施するための最良の形態】
【００２３】
発明の実施の形態１．
この発明の実施の形態に係る遊技機について図面を参照して説明する。
図１は扉を閉めた状態を示すスロットマシンの正面図を示す。
【００２４】
図１中、１００はスロットマシンを示すもので、このスロットマシン１００は、図１に示すように、スロットマシン本体１２０と、このスロットマシン本体１２０の前面片側にヒンジ等により開閉可能に取り付けられた扉１３０とを備えている。前記扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００２５】
また、前記ゲーム表示部１３１の左下方には、ゲームを開始するためのスタートスイッチ１３４を設けてあり、３つのリールのそれぞれに対応して３つのストップボタン１４０を設けてある。扉の下端部中央には、メダルの払出し口１３５を設けてある。
【００２６】
図２はスロットマシン１００の電気的な概略構造を示すブロック図である。この図において電源系統についての表示は省略されている。スロットマシン１００は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００２７】
メイン基板１は、遊技者の操作を受けて内部抽選を行ったり、リールの回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００２８】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００２９】
メイン基板１にはスタートスイッチ１３４，ストップボタン１４０，リールユニット（リール駆動装置を含む）７０，リール位置検出回路７１、ホッパ駆動部８０、ホッパ８１及びホッパ８１から払い出されたメダルの枚数を数えるためのメダル検出部８２が接続されている。サブ基板２には液晶表示装置の制御基板２００、スピーカ２０１、ＬＥＤ基板２０２などの周辺基板（ローカル基板）が接続されている。
【００３０】
図２において、Ｘは不正行為者によって遊技機に取り付けられる不正な装置である。不正な装置Ｘはメイン基板１とサブ基板２を接続するケーブルやコネクタに設けられることが多い。不正な装置Ｘは遊技者にとって有利な情報をサブ基板２に報知させるためのコマンドを不正に（メイン基板１の処理とは無関係に）サブ基板２へ送るものである。遊技処理を妨害することが目的ではないため、不正な装置Ｘがあったとしても、前記の点を除けばメイン基板１からサブ基板２へのコマンド送信は正常に行われる。なお、本発明の実施の形態に係る遊技機に不正な装置Ｘを取り付けることは非常に困難である。図２は、従来の遊技機において不正な装置Ｘが取り付けられていた位置を示すにすぎない。
【００３１】
上述のように、メイン基板１及びサブ基板２は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで所定の動作を行う。具体的には、スタートスイッチ１３４及びストップボタン１４０の操作に基づきリールユニット７０に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００３２】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット７０の駆動を開始させる。リールユニット７０は、ストップボタン１４０によりその駆動が停止される。リールユニット７０は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３３】
リールユニット７０は、スロットマシン本体１２０から取り外すことができる。図３に示すように、扉１３０のうちの上側の扉１３０Ｕ（図示する遊技機の筐体は扉１３０の上側と下側を独立して開閉できるようになっている）を開き、リールユニット７０を手前に引き出して、これを取り外すことができる。リールユニット７０の奥にはメイン基板１が取り付けられている。
【００３４】
図４はメイン基板１をケース１−１に収納した状態の斜視図である。見やすくするために、図４ではケース１−１の表面の一部を切り欠いて表示している。
【００３５】
図５はメイン基板１の平面図を示す。この図ではコネクタ（ソケット）Ｓ、メイン基板１に設けられた穴１０−１〜１０−４及びその周囲になされた着色Ｃ１〜Ｃ４のみを表示し、これら以外のＣＰＵやＲＯＭなどの表示は省略している。着色Ｃ１〜Ｃ４は、穴１０−１〜１０−４を容易に識別できるようにするためになされたものである。正規の状態でワイヤハーネスがどの穴を通っていたかを一目でわかるようにするためのものである。ワイヤハーネスＷＨを穴１０−１〜１０−４の全部に通す必要はないから、例えば、穴１０−１と１０−３を通すように予め取り決めておく。その覚え方として着色Ｃ１（例えば赤）とＣ３（例えば白）を利用する。もしワイヤハーネスＷＨが別の穴を通っていたときは、ワイヤハーネスＷＨが不正に交換された可能性が有るが、上記着色を思い出せば容易にその判定を行うことができるようになる。なお、着色は以下に述べる全ての実施例（コの字状、Ｌ字状、Ｔ字状の部材を含む）に適用できる。
【００３６】
図６はメイン基板１をケース１−１に収納した状態の平面図、図７は、図６のＡ−Ａ線矢視断面図である。
【００３７】
図４〜図７を参照して、発明の実施の形態１に係る遊技機の構造について説明を加える。
【００３８】
発明の実施の形態１では、メイン基板１に実装されているコネクタ（ソケット）Ｓをケース１−１の内部に入れてしまい、ワイヤハーネスＷＨのコネクタ（プラグ）Ｐとの接続をケース１−１の内部で行い、ケース１−１に開けた穴１−１−Ｈからワイヤハーネス（電線）のみが外部へ出るようになっている。さらに、ケース１−１の内部では、ワイヤハーネスＷＨのコネクタ（プラグ）Ｐからケース１−１の穴１−１−Ｈまでの間で、ワイヤハーネスＷＨが基板に開けた複数の基板穴１０−１〜１０−４を通っている。複数の基板穴１０−１〜１０−４をいわば縫い物をするようにワイヤハーネスＷＨを通している。ワイヤハーネスＷＨは、いずれかの穴を通るごとに基板の表と裏を交互に行き来する。ワイヤハーネスＷＨは、穴１０−１と１０−２の間及び穴１０−３と１０−４の間では基板の裏側に隠れ、穴１０−２と１０−３の間では基板の表面に現れる。
【００３９】
上記のメイン基板１に実装されているコネクタ（ソケット）Ｓをケース１−１の内部に入れ、ケース１−１に開けた穴１−１−Ｈからワイヤハーネス（電線）ＷＨのみが外部へ出るという構成により、ワイヤハーネスＷＨのコネクタ（プラグ）Ｐを挿抜するためにはケース１−１を開けなければ行うことができなくなる。
【００４０】
さらに、複数の基板穴１０−１〜１０−４をいわば縫い物をするようにワイヤハーネスＷＨを通しているので、その交換には時間と手間がかかる。なお、複数の基板穴１０−１〜１０−４のいずれかを、ワイヤハーネスＷＨは通るがワイヤハーネスＷＨのコネクタ（プラグ）Ｐは通らない程度に小さくすれば、ワイヤハーネスＷＨを切断しない限りそれを取り外すことはできなくなる。
【００４１】
したがって、発明の実施の形態１に係る遊技機によれば、ワイヤハーネスの交換を伴う不正行為を非常に困難にすることができる。不正にワイヤハーネスを交換しようとすれば長時間かかり、不正行為が露見しやすくなる。したがって、発明の実施の形態１によればワイヤハーネス交換に係る不正行為を抑止することができる。
【００４２】
なお、図５〜図７の例では、ワイヤハーネスＷＨが穴１０−１〜１０−４の全部を通っていたが、本発明はこれに限定されない。それら穴の一部を通るだけでもよい。この場合、上述の着色による識別が有効である。
【００４３】
発明の実施の形態２．
図８はメイン基板１をケース１−１に収納した状態の平面図、図９は、図８のＡ−Ａ線矢視断面図である。これらの図面を参照して、発明の実施の形態２に係る遊技機について説明を加える。
【００４４】
発明の実施の形態２では、基板１に設けられた穴の一部（図８の例では符号１０−５）の幅が広くなっていて、ワイヤハーネスＷＨを２回通せるようになっている。当該幅広の穴の個所でワイヤハーネスＷＨは基板１に巻かれるように、幅広の穴を２回通っている（図の例では穴１０−５と１０−６の間で基板に巻かれている）。したがって、ワイヤハーネスＷＨを抜き取るためにはワイヤハーネスＷＨを巻き戻す必要があり、その結果より時間を要するようになり、不正行為をより困難にすることができる。
【００４５】
発明の実施の形態３．
図１０はメイン基板１をケース１−１に収納した状態の平面図、図１１は、図１０のＡ−Ａ線矢視断面図である。これらの図面を参照して、発明の実施の形態３に係る遊技機について説明を加える。
【００４６】
発明の実施の形態３では、基板１のコネクタ（ソケット）Ｓを基板の裏面（ケース１−１の表面からは見えない面）に設けている。ワイヤハーネスＷＨは、基板１に設けられた穴１０−８を通り基板１の表面に現れ、ケース１−１の穴１−１−Ｈを通って外部にでるようになっている。
【００４７】
ワイヤハーネスＷＨを抜くためには、まずケース１−１を開け、基板のネジを外してその裏面に触れることができるようにし、裏側のコネクタ（プラグ）Ｐをコネクタ（ソケット）Ｓからはずさなければならない。さらに、ワイヤハーネスＷＨを基板１の穴１０−８とケース１−１−Ｈを通して抜かなければならない。
【００４８】
発明の実施の形態３では、基板の穴がひとつしかないが、ワイヤハーネスＷＨを抜き取るためにメイン基板１を外さなければならず、その作業に長時間を要し、不正行為は非常に困難である。基板１の穴１０−８又はケース１−１の穴１−１−Ｈのいずれかを、ワイヤハーネスＷＨは通るがワイヤハーネスＷＨのコネクタ（プラグ）Ｐは通らない程度に小さくすれば、ワイヤハーネスＷＨを切断しない限りそれを取り外すことはできなくなるので、不正行為をより困難にできる。
【００４９】
発明の実施の形態４．
なお、上記例ではワイヤハーネスＷＨを基板１に縫い込むために穴１０を設けたが、穴１０に代えてコの字状、Ｌ字状又はＴ字状いずれかの部材１１を設けるようにしてもよい。部材１１は、それ自身と基板１との間にワイヤハーネスＷＨを保持するためのものである。部材１１を用いた例を図１２に示す。図１２（ａ）は断面図（図７と同様のもの）である。同図（ｂ）はコの字状の部材（金具）の正面図及び側面図、同図（ｃ）はＬ字状の部材（金具）の正面図及び側面図、同図（ｄ）はＴ字状の部材（金具）の正面図及び側面図である。
【００５０】
部材１１は基板１に取り付けられ、基板１との間に生じた空間（図１２（ｂ）〜（ｄ）の符号Ｂで示された部分に生じる）をワイヤハーネスＷＨが通る。当該空間は、基板１の穴１０と同様の作用効果を奏するので、ワイヤハーネスＷＨを抜き取るために長時間を要し、不正行為は非常に困難である。部材１１のＢの部分を、ワイヤハーネスＷＨは通るがワイヤハーネスＷＨのコネクタ（プラグ）Ｐは通らない程度に小さくすれば、ワイヤハーネスＷＨを切断しない限りそれを取り外すことはできなくなるので、不正行為をより困難にできる。
【００５１】
図１２（ｄ）のＴ字型の部材１１には符号ＢとＢ’の２箇所でワイヤハーネスＷＨを保持することができる。そこで、隣接する部材１１との関係で符号ＢとＢ’交互にワイヤハーネスＷＨを保持すれば、ワイヤハーネスＷＨはしっかりと保持され、不正行為をより困難にできる。
【００５２】
発明の実施の形態５．
なお、基板１に複数の穴を設けることに代えて、ケース１−１に複数の穴を設け、これらにワイヤハーネスＷＨを通しても同様の作用効果を奏する。この例を図１３及び図１４に示す。図１３はケース１−１と基板１の平面図、図１４は、図１３のＡ−Ａ線矢視断面図である。図１３及び図１４の場合は、ケース１を開けてコネクタ（プラグ）Ｐを外せば基板１からワイヤハーネスＷＨを外すことができるものの、ケース１−１からワイヤハーネスＷＨを外すには時間と手間を要する。ケース１−１からワイヤハーネスＷＨを抜かない限りその交換はできない。したがって、ワイヤハーネスＷＨを抜き取るために長時間を要し、不正行為は非常に困難である。ケース１−１の穴１−１−ＨＡ〜１−１−ＨＣのいずれかを、ワイヤハーネスＷＨは通るがワイヤハーネスＷＨのコネクタ（プラグ）Ｐは通らない程度に小さくすれば、ワイヤハーネスＷＨを切断しない限りそれを取り外すことはできなくなるので、不正行為をより困難にできる。
【００５３】
発明の実施の形態６．
ケース１−１に複数の穴を設けることに代えて、コの字状、Ｌ字状又はＴ字状いずれかの部材１１をその内側に設けるようにしてもよい（図１５参照）。
【００５４】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５５】
【図１】遊技機（スロットマシン）の正面図である。
【図２】遊技機のブロック図である。
【図３】遊技機からリールユニットを取り出した状態を示す斜視図である。
【図４】発明の実施の形態１に係るケースとこれに収納された基板の斜視図である。
【図５】発明の実施の形態１に係る基板の平面図である。
【図６】発明の実施の形態１に係るケースとこれに収納された基板の平面図である。
【図７】発明の実施の形態１に係るケースとこれに収納された基板の断面図である。
【図８】発明の実施の形態２に係るケースとこれに収納された基板の平面図である。
【図９】発明の実施の形態２に係るケースとこれに収納された基板の断面図である。
【図１０】発明の実施の形態３に係るケースとこれに収納された基板の平面図である。
【図１１】発明の実施の形態３に係るケースとこれに収納された基板の断面図である。
【図１２】発明の実施の形態４に係るケースとこれに収納された基板の断面図である。
【図１３】発明の実施の形態５に係るケースとこれに収納された基板の平面図である。
【図１４】発明の実施の形態５に係るケースとこれに収納された基板の断面図である。
【図１５】発明の実施の形態６に係るケースとこれに収納された基板の断面図である。
【図１６】メイン基板とこれを収納する従来のケースの斜視図である。
【図１７】メイン基板とこれを収納する従来のケースの分解斜視図である。
【符号の説明】
【００５６】
１    メイン基板
１−１  メイン基板を収納するケース（基板ケース）
１−１−Ｈ  ケースの穴
１−１ａ  ケースの後カバー
１−１ｂ  ケースの前カバー
１−１ｃ  ネジ
２    サブ基板
１０    基板の穴
１１    コの字状、Ｌ字状又はＴ字状の部材（金具）
７０    リールユニット
７１    リール位置検出回路
８０    ホッパ駆動部
８１    ホッパ
８２    メダル検出部
１００  スロットマシン
１２０  スロットマシン本体
１３０  扉
１３１  ゲーム表示部
１３２  メダル投入口
１３３  リジェクトボタン
１３４  スタートスイッチ
１３５  払出し口
１４０  ストップボタン
２００  液晶制御基板
２０１  スピーカ
２０２  ＬＥＤ基板
Ｐ    ワイヤハーネスのコネクタ（プラグ）
Ｓ    メイン基板のコネクタ（ソケット）
ＷＨ    ワイヤハーネス（ハーネス）
【図１】
0004585973.tif 000002
【図２】
0004585973.tif 000003
【図３】
0004585973.tif 000004
【図４】
0004585973.tif 000005
【図５】
0004585973.tif 000006
【図６】
0004585973.tif 000007
【図７】
0004585973.tif 000008
【図８】
0004585973.tif 000009
【図９】
0004585973.tif 000010
【図１０】
0004585973.tif 000011
【図１１】
0004585973.tif 000012
【図１２】
0004585973.tif 000013
【図１３】
0004585973.tif 000014
【図１４】
0004585973.tif 000015
【図１５】
0004585973.tif 000016
【図１６】
0004585973.tif 000017
【図１７】
0004585973.tif 000018